(57)【要約】【課題】合成樹脂製可とう管からなる電線管のケーブル取出し口にパテ詰めされたパテの脱落を防止する合成樹脂製可とう電線管用パテ脱落防止具を提供する。【解決手段】電線管Ｑの端部に取付ける固定部１を設ける。ケーブル取出し口に詰められたパテＰを囲み込む包持体２を設ける。包持体２の先端に挿通口３を形成する。固定部１から包持体２先端の挿通口３に至る側面に切欠開口部４を形成する。切欠開口部４を開いてケーブル取出し口に固定部１を固定する。パテＰが包持体２の内部に保持されるように構成する。【選択図】  図１
2017208967.tif 000002
【特許請求の範囲】
【請求項１】
合成樹脂製可とう管からなる電線管のケーブル取出し口に詰められたパテの脱落を防止するパテ脱落防止具であって、電線管の外側面に形成された波状凸部に係止する固定部と、該固定部から連続してケーブル取出し口に詰められたパテをケーブルごと囲み込む包持体と、該包持体の先端に開口されケーブル取出し口から引き出されたケーブルを通す挿通口とを弾性材にて形成すると共に、固定部から包持体先端の挿通口に至る側面に切欠開口部を形成し、該切欠開口部を強制的に開いてケーブル側面から包持体の内部にパテを収納すると、包持体の弾性回復力にてパテが包持体の内部に包み込まれると共に、固定部の弾性回復力にて波状凸部に固定部が係止するように構成したことを特徴とする合成樹脂製可とう電線管用パテ脱落防止具。
【請求項２】
前記電線管の外側面に形成された波状凸部に係止する係止爪片を固定部の内周面に沿うように複数突設し、該係止爪片にて前記固定部を前記電線管の端部の外周に係止するように構成した請求項１記載の合成樹脂製可とう電線管用パテ脱落防止具。
【請求項３】
前記固定部は前記包持体に向けて窄むテーパー状をなし、基端部側と先端部側とで高さの異なる突起状の係止爪片を形成し、該係止爪片を選択して直径が異なる電線管に前記固定部を適合させるように構成した請求項１記載の合成樹脂製可とう電線管用パテ脱落防止具。
【請求項４】
前記包持体の側面に、前記包持体にて保持した前記パテを確認する確認窓を形成した請求項１記載の合成樹脂製可とう電線管用パテ脱落防止具。
【請求項５】
前記包持体内に保持した前記パテの量が多くなると、前記確認窓からはみ出るように構成した請求項４記載の合成樹脂製可とう電線管用パテ脱落防止具。
【発明の詳細な説明】
【技術分野】
【０００１】
本発明は、ＰＦ管・ＣＤ管と称する電線管のケーブル取出し口にパテ詰めされたパテの脱落を防止する合成樹脂製可とう電線管用パテ脱落防止具に関するものである。
【背景技術】
【０００２】
一般に、合成樹脂製可とう電線管のケーブル取出し口には、防塵や防音の目的でパテが充填される。ところが、時間の経過によるケーブルの垂れ下がりなど、ケーブルが動くことでパテが脱落する虞があった。
【０００３】
そこで、ケーブルの動きを防止するために吊りボルトにケーブルを固定し、あるいはパテの脱落を防止するために合成樹脂製可とう電線管の端部に詰めたパテをビニルテープで巻き付けて固定するなどの施工が行われている。
【０００４】
一方、自動車等に配置するワイヤハーネスとして使用される可撓管に充填剤を保持する構成が特許文献１に記載されている。この可撓管は、ワイヤハーネスの形状を保持する部位に、硬化性の充填材を可撓管の内部に充填して可撓管の形状を保持するように構成したものである。
【先行技術文献】
【特許文献】
【０００５】
【特許文献１】特開２０１２-１８６９５２号公報
【発明の概要】
【発明が解決しようとする課題】
【０００６】
合成樹脂製可とう電線管の端部に詰めたパテをビニルテープで巻き付けて固定する手段では、ビニルテープの巻き付け作業に多くの手間がかかる。特に、この工事は、電気・通信関係の配線用として各階を貫通するＥＰＳ（Electric Pipe Shaft）内で作業するので、暗く狭い環境で行う必要がある。したがって、このような環境において、電線管の端部に詰めたパテをビニルテープで巻き付けるなどの作業は極めて難しい作業になっている。そのため、作業後に電線管の端部からパテが脱落することもあり、工事終了後に再び手直しする必要があった。
【０００７】
しかも、施工後の脱落が日常的なことから、施工終了後には施工箇所の全てをチェックしてパテの脱落の有無を確認する必要があった。この確認作業には、簡易作業台付の脚立（重量15Kg）を持ち運んでの作業になっており、パテ施工後における確認作業や不良部分の修正作業など、大掛かりな後工程が必要になっている。
【０００８】
また、ＥＰＳを貫通するケーブルは、時間の経過や高温等によりケーブルの自重で垂れ下がりパテが外れることも多い。そのため、合成樹脂製可とう電線管の端部から突出しているケーブルを吊りボルトで固定し、ケーブルの垂れ下がりを防止する工事もある。しかしながら、電線管の端部に固定したパテの落下を防止するために、各所に吊りボルトを施工するのは、作業の効率化を著しく妨げる不都合があった。
【０００９】
一方、特許文献１のように、特殊な可撓管に充填剤を充填して保持する構成は、一対の充填補助部品相互をボルトやクリップで強固に連結固定してから内部に充填剤を注入するものである。したがって、このような構成では、合成樹脂製可とう電線管の端部にパテを詰めた後で、このパテを固定することはできない。
【００１０】
しかも、特殊な可撓管では、一対の充填補助部品相互をボルトやクリップで強固に連結固定した後で、充填材流通口から充填剤を注入する作業になるので、作業工程が極めて多くなる。ところが、合成樹脂製可とう電線管のケーブル取り出し口にパテを固定する作業は、一箇所のオフィスフロアでも約１０数箇所もあるので、このような作業工程の多い固定具は全く適していない。
【００１１】
ＥＰＳを貫通するケーブルを保護する合成樹脂製可とう電線管の端部に詰めたパテの脱落を防止する作業には、片手でも極めて簡単にパテを固定できる作業の容易性と、確実な落下防止効果を備えたパテ脱落防止具が求められている。
【００１２】
そこで本発明は上述の課題を解消すべく創出されたもので、合成樹脂製可とう電線管のケーブル取出し口に、防塵や防音用のパテが充填された後、これらのパテを極めて容易に固定することができる合成樹脂製可とう電線管用パテ脱落防止具の提供を目的とする。
【課題を解決するための手段】
【００１３】
上述の目的を達成すべく本発明における第１の手段は、合成樹脂製可とう管からなる電線管Ｑのケーブル取出し口に詰められたパテＰの脱落を防止するパテ脱落防止具であって、電線管Ｑの外側面に形成された波状凸部Ｑ１に係止する固定部１と、該固定部１から連続してケーブル取出し口に詰められたパテＰをケーブルＲごと囲み込む包持体２と、該包持体２の先端に開口されケーブル取出し口から引き出されたケーブルＲを通す挿通口３とを弾性材にて形成すると共に、固定部１から包持体２先端の挿通口３に至る側面に切欠開口部４を形成し、該切欠開口部４を強制的に開いてケーブルＲ側面から包持体２の内部にパテＰを収納すると、包持体２の弾性回復力にてパテＰが包持体２の内部に包み込まれると共に、固定部１の弾性回復力にて波状凸部Ｑ１に固定部１が係止するように構成したことにある。
【００１４】
第２の手段は、前記電線管Ｑの外側面に形成された波状凸部Ｑ１に係止する係止爪片５を固定部１の内側面に沿うように複数突設し、該係止爪片５にて前記固定部１を前記電線管Ｑの端部の外周に係止するように構成したものである。
【００１５】
第３の手段において、前記固定部１は前記包持体２に向けて窄むテーパー状をなし、基端部側と先端部側とで高さの異なる突起状の係止爪片５を形成し、該係止爪片５を選択して直径が異なる電線管Ｑに前記固定部１を適合させるように構成したことにある。
【００１６】
第４の手段は、前記包持体２の側面に、前記包持体２にて保持した前記パテＰを確認する確認窓６を形成したものである。
【００１７】
第５の手段は、前記包持体２内に保持した前記パテＰの量が多くなると、前記確認窓６からはみ出るように構成している。
【発明の効果】
【００１８】
本発明の請求項１のごとく、固定部１から包持体２先端の挿通口３に至る側面に切欠開口部４を形成し、該切欠開口部４を強制的に開いてケーブルＲ側面から包持体２の内部にパテＰを収納すると、包持体２の弾性回復力にてパテＰが包持体２の内部に包み込まれると共に、固定部１の弾性回復力にて波状凸部Ｑ１に固定部１が係止するように構成したことにより、合成樹脂製可とう電線管のケーブル取出し口に充填されたパテＰを極めて容易に固定することができる。
【００１９】
したがって、ＥＰＳを貫通するケーブルを保護する合成樹脂製可とう電線管の端部に詰めたパテを片手でも簡単に固定でき、固定後は、固定部１と包持体２とが長期間パテを保持するので、確実な落下防止効果が得られる。この結果、パテの落下を防止するために、各所に吊りボルトを施工する必要はなくなった。また従来のように、パテ施工後における簡易作業台付の脚立を持ち運んだ確認作業や修正作業などの大掛かりな後工程の必要もない。
【００２０】
請求項２のように、電線管Ｑの外側面に形成された波状凸部Ｑ１に係止する係止爪片５を固定部１の内側面に沿うように複数突設し、該係止爪片５にて固定部１を電線管Ｑの端部の外周に係止するように構成したことで、電線管Ｑの波状凸部Ｑ１を利用して固定部１を簡単に固定することができる。
【００２１】
請求項３のごとく、固定部１は包持体２に向けて窄むテーパー状をなし、基端部側と先端部側とで高さの異なる突起状の係止爪片５を形成し、該係止爪片５を選択して直径が異なる電線管Ｑに固定部１を適合させるように構成しているので、１個の固定部１で複数の電線管Ｑに固定することが可能になる。
【００２２】
請求項４のように、包持体２の側面に、包持体２にて保持したパテＰを確認する確認窓６を形成したことで、施工後において、ケーブル取出し口にパテＰが詰められているか否かを目視で簡単に確認することができる。
【００２３】
請求項５のごとく、包持体２内に保持したパテＰの量が多くなると、確認窓６からはみ出るように構成しているので、この確認窓６がパテＰの保持力を更に高めることができる。しかも、ケーブル取出し口に詰められたパテＰの量が仮に多くなっている場合でも、包持体２を強く握り締めることで、余分なパテＰを確認窓６押し出して、固定部１を係止させることができる。この結果、片手での作業効率を高めることができる。
【図面の簡単な説明】
【００２４】
【図１】本発明の使用状態を示す斜視図である。
【図２】本発明の一実施例を示す斜視図である。
【図３】本発明の一実施例を示す斜視図である。
【図４】図３に示す矢視IV-IV線断面図である。
【図５】図２に示す矢視V-V線断面図である。
【図６】本発明の使用状態を示す断面図である。
【図７】本発明の他の使用状態を示す断面図である。
【図８】本発明の装着状態を示す側面図である。
【発明を実施するための形態】
【００２５】
本発明パテ脱落防止具は、ＰＦ管・ＣＤ管と称する合成樹脂製可とう管からなる電線管ＱからケーブルＲを取り出す開口部に詰められたパテＰの脱落を防止するものである（図１参照）。
【００２６】
本発明の主な構成として、固定部１、包持体２、挿通口３、切欠開口部４、係止爪片５、確認窓６を備えている（図２参照）。これらの各部は、例えば難燃性ポリプロピレンなど、弾性のある合成樹脂材等で一体に形成されている。
【００２７】
固定部１は、電線管Ｑの端部に固定する略筒状の部位で、固定部１の内側面には、電線管Ｑの外側面に形成された波状凸部Ｑ１に係止する係止爪片５を設けている（図４参照）。係止爪片５は、固定部１の内部に複数突設すると共に、内周壁に沿うように複数配置したものである（図５参照）。
【００２８】
この係止爪片５は、電線管Ｑの外側面に形成された波状凸部Ｑ１に係止する部位で、この係止爪片５が電線管Ｑ端部の波状凸部Ｑ１の間に係合することで、固定部１を電線管Ｑの端部に固定する。図示の係止爪片５は、包持体２に向けて窄むテーパーを有する筒状の固定部１内面に突設している（図４参照）。そして、基端部側と先端部側とで高さの異なる突起状の係止爪片５を形成し、この係止爪片５を選択して直径が異なる電線管Ｑに固定部１を適合させるように構成している（図５参照）。
【００２９】
すなわち、径の太い電線管Ｑに係止する大径係止爪片５Ａを固定部１の基端部がわに突設し、径の細い電線管Ｑに係止する小径係止爪片５Ｂを固定部１の先端部がわに突設している（図４参照）。そして、大径係止爪片５Ａが波状凸部Ｑ１に係止すると、この大径係止爪片５Ａの先が包持体２となる（図６参照）。また、小径係止爪片５Ｂが波状凸部Ｑ１に係止すると、この小径係止爪片５Ｂの先でパテＰを保持するものである（図７参照）。更に、固定部１の径を変えたパテ脱落防止具を複数形成すると、大径係止爪片５Ａと小径係止爪片５Ｂとで固定可能になる電線管Ｑの径の種類を、より多くすることができる。
【００３０】
包持体２は、固定部１から連続している部位で、ケーブル取出し口に詰められたパテＰをケーブルＲごと囲み込むように形成されている（図１参照）。図示の包持体２は、側面に確認窓６を形成している。この確認窓６は、包持体２にて保持したパテＰを確認する開口部位で、ケーブル取出し口に装着した包持体２内部にパテＰが詰められているか否かを確認することができる。
【００３１】
また、包持体２内に保持したパテＰが確認窓６からはみ出るように構成しているので、この確認窓６がパテＰの保持力を更に高めることができる。しかも、ケーブル取出し口に詰められたパテＰの量が仮に多くなっている場合には、固定部１の弾性回復力にて波状凸部Ｑ１に固定部１が係止できなくなるおそれもある。この場合でも、包持体２を強く握り締めることで、余分なパテＰを確認窓６押し出して固定部１を係止させることができる。
【００３２】
包持体２の先端には、挿通口３を形成してあり、ケーブル取出し口から引き出されたケーブルＲをこの挿通口３に通している。そして、固定部１から包持体２先端の挿通口３に至る側面に切欠開口部４が形成されている（図２参照）。本発明落下防止具を装着する場合、この切欠開口部４を開いてケーブル取出し口に固定部１を固定する。
【００３３】
このとき、切欠開口部４を強制的に開いてケーブルＲ側面から包持体２の内部にパテＰを収納して手を離すと、切欠開口部４が弾性回復力によって自然に閉じた状態になる（図８参照）。そうすると、包持体２の弾性回復力にてパテＰが包持体２の内部に包み込まれると共に、固定部１の弾性回復力にて波状凸部Ｑ１に固定部１が係止するものである。図示例では、固定部１の基端部に補強帯部１Ａを形成し、固定部１の固定力を高めている（図６、図７参照）。
【００３４】
尚、本発明の構成は図示例に限定されるものではなく、本発明の要旨を変更しない範囲での設計変更は自由である。
【符号の説明】
【００３５】
Ｐ  パテ
Ｑ  電線管
Ｑ１  波状凸部
Ｒ  ケーブル
１  固定部
１Ａ  補強帯部
２  包持体
３  挿通口
４  切欠開口部
５  係止爪片
５Ａ  大径係止爪片
５Ｂ  小径係止爪片
６  確認窓
【図１】
2017208967.tif 000003
【図２】
2017208967.tif 000004
【図３】
2017208967.tif 000005
【図４】
2017208967.tif 000006
【図５】
2017208967.tif 000007
【図６】
2017208967.tif 000008
【図７】
2017208967.tif 000009
【図８】
2017208967.tif 000010